(57)【要約】【課題】本体装置に対して電気ケーブルで電気接続して外付けする外付け装置において、外観を損なうことなく、電気ケーブルを安全に備える。【解決手段】画像読取装置（外付け装置）７０において、読み取り機能部を収納する筐体ケース部材１８とその筐体ケース部材のまわりを被う外装カバー部材１０との間に、ケーブル挿通空間４８を形成する。そして、筐体ケース部材から引き出した複数の電気ケーブル４５・４６・４７をケーブル挿通空間を通して一まとめとし、ベルト状の保持部材を巻き付けてその保持部材を介して保持したり、筐体ケース部材自体で形成した細長板状の保持部に巻き付けて筐体ケース部材自体で保持したりして筐体ケース部材で支持し、一まとめとした電気ケーブル４４を外装カバー部材から外部へと引き出して作像装置（本体装置）に電気接続する。【選択図】      図１
2006091835.tif 000002
【特許請求の範囲】
【請求項１】
本体装置に対して電気ケーブルで電気接続して外付けする外付け装置において、
機能部を収納する筐体ケース部材とその筐体ケース部材のまわりを被う外装カバー部材との間に、前記筐体ケース部材から引き出した複数の電気ケーブルをまとめて前記筐体ケース部材で支持し、前記外装カバー部材から外部へと引き出すケーブル挿通空間を形成することを特徴とする、外付け装置。
【請求項２】
前記筐体ケース部材に保持部材を取り付け、その保持部材で前記電気ケーブルを保持して前記筐体ケース部材で支持することを特徴とする、請求項１に記載の外付け装置。
【請求項３】
前記筐体ケース部材自体で形成する保持部で前記電気ケーブルを保持し、前記筐体ケース部材で支持することを特徴とする、請求項１に記載の外付け装置。
【請求項４】
前記保持部で保持する前記電気ケーブルをまとめた状態で固定する止め具を備えることを特徴とする、請求項３に記載の外付け装置。
【請求項５】
前記ケーブル挿通空間で内部配線用電線を外部配線用電線と接続して前記電気ケーブルを構成し、その電気ケーブルの外部配線用電線を前記外装カバー部材から外部へと引き出すことを特徴とする、請求項１ないし４のいずれか１に記載の外付け装置。
【請求項６】
前記筐体ケース部材の内側に前記機能部を囲って第２の筐体ケース部材を設け、その第２の筐体ケース部材と前記筐体ケース部材との間に第２のケーブル挿通空間を形成し、その第２のケーブル挿通空間を通す電気ケーブルを前記筐体ケース部材から引き出し、前記ケーブル挿通空間を通した他の電気ケーブルとまとめて前記外装カバー部材から外部へと引き出すことを特徴とする、請求項１ないし５のいずれか１に記載の外付け装置。
【請求項７】
前記ケーブル挿通空間を通した電気ケーブルをいったん前記第２のケーブル挿通空間に入れて後、再び前記筐体ケース部材から引き出して前記外装カバー部材から外部へと引き出すことを特徴とする、請求項６に記載の外付け装置。
【請求項８】
前記ケーブル挿通空間を通す電気ケーブルのケーブル挿通方向を遮るように前記ケーブル挿通空間に入り込ませて、前記筐体ケース部材で板金製の保持カバーを支持し、その保持カバーに設ける挿通保持部で前記筐体ケース部材から引き出す電気ケーブルを挿通保持することを特徴とする、請求項７に記載の外付け装置。
【請求項９】
前記保持カバーに設ける挿通保持部に、取付保持部材を介在して電気ケーブルを挿通して保持することを特徴とする、請求項８に記載の外付け装置。
【請求項１０】
前記外装カバー部材の上面に垂直壁を設けてその上面に一段低い段部を形成し、その段部で前記ケーブル挿通空間の高さを規定することを特徴とする、請求項１ないし９のいずれか１に記載の外付け装置。
【請求項１１】
前記垂直壁に、前記外装カバー部材内の空気を排出する排気口を設けることを特徴とする、請求項１０に記載の外付け装置。
【請求項１２】
前記本体装置である作像装置に対して電気ケーブルで電気接続して外付けする画像読取装置であり、その上に載置する自動原稿搬送装置と電気接続する電気ケーブルの接続部を前記垂直壁に設けることを特徴とする、請求項１０に記載の外付け装置。
【請求項１３】
請求項１ないし１２のいずれか１に記載の外付け装置を前記本体装置に前記電気ケーブルを介して電気接続して構成することを特徴とする、電気電子機器。
【請求項１４】
前記外付け装置として、原稿画像を読み取る読み取り機能部を有する画像読取装置を用い、前記本体装置として、前記画像読取装置からの画像読み取り信号を受けて画像を形成する作像装置を用いることを特徴とする、請求項１３に記載の電気電子機器。
【発明の詳細な説明】
【技術分野】
【０００１】
この発明は、画像形成装置、コンピュータなどの電気電子機器に関する。そのうち特に、作像装置等の本体装置に対して電気ケーブルで電気接続し、画像読取装置等の外付け装置を付加して備える電気電子機器に関する。および、そのような電気電子機器において、例えばオプション装置のように、独立の構成を有し、本体装置に対して電気ケーブルで電気接続して後から一体にまたは別体で取り付け可能とする外付け装置に関する。
【背景技術】
【０００２】
従来、画像形成装置の中で、コピー機能とプリンタ機能とファクシミリ機能を複合して備える複合機では、例えば図１５（Ａ）に示すように、作像装置１の上に画像読取装置２を取り付けていた。画像読取装置２には、正面側に突出して操作部３を有し、作像装置１上には、原稿画像を読み取る読み取り機能部を筐体ケース部材４内に収納し、その筐体ケース部材４のまわりを被って外装カバー部材５を備えていた。
【０００３】
そして、筐体ケース部材４内の読み取り機能部から、図１５（Ｂ）に示すように、電源用電気ケーブル６ａ、制御信号用電気ケーブル６ｂ、画像信号用電気ケーブル６ｃを引き出し、互いに交差しないようにのばしてそれぞれ筐体ケース部材４と外装カバー部材５との間の空間７を通して図１５（Ａ）に示すように作像装置１内に導き、図１６に示すようにそれぞれ作像装置１内の電装基板ａ、ｂ、ｃに電気接続していた。
【０００４】
ところで、従来この種の画像形成装置では、ユーザーが上述のような複合機を希望する場合は、図１５（Ａ）および（Ｂ）に示すように本体装置である作像装置１に、外付け装置でありオプション装置である画像読取装置２を付加して提供するが、プリンタを希望する場合は本体装置である作像装置１のみを提供し、またファクシミリや複写機を希望する場合は本体装置である作像装置１に画像読取装置２とともに対応する回路基板を付加して提供していた。
【０００５】
上述した画像形成装置のように、電気電子機器では、今日、画像読取装置２などの各種の機能拡張用オプション装置を備え、そのいくつかをユーザーの求めに応じて適宜選択して、作像装置１などの本体装置に組み合わせることで、任意に多機能化していた。そして、このときオプション装置を本体装置と一体化して複合機の形態として使用するのみならず、本体装置に外付け可能として、ときにはユーザーのニーズに対応して本体装置と別体に設置可能とすることも求められている。
【０００６】
例えば図１７に示すように、外付け装置である画像読取装置２をテーブル８上に載置し、本体装置である作像装置１に、電気ケーブル６ｄ、６ｅ、６ｆを介して電気接続していた。例えばこのようにすることで、操作部３の位置を低くしてすべての使用者が利用しやすいようにし、利便性を高めることができる。
【０００７】
【特許文献１】特開２００２−１０１２４２号公報
【特許文献２】特開２０００−１３１９０９号公報
【発明の開示】
【発明が解決しようとする課題】
【０００８】
ところが、このような電気電子機器では、例えば図１８に示すように、床上に載置した作像装置１とテーブル８上の画像読取装置２の配置状態によっては、各電気ケーブルごとの最適なケーブル長さが相違し、長さを必要とする電気ケーブル６ｆは強く張り渡されるが、短い長さで十分な電気ケーブル６ｄ、６ｅはともに大きくたるんで垂れ下がることとなり、外観を損ねるばかりか、安全上も好ましくなかった。
【０００９】
そこで、この発明の第１の目的は、本体装置に対して電気ケーブルで電気接続して外付けする外付け装置において、外観を損なうことなく、電気ケーブルを安全に備えることにある。
【００１０】
この発明の第２の目的は、電気ケーブルを引っ張ったとき、簡単に抜けたり、電装基板やコネクタに負荷が加わったときすぐに破損したりするおそれがなく、電気ケーブルをより一層安全に備えることにある。
【００１１】
電気ケーブルは、電気電子機器の内部に使用する場合には、物理的圧力を受けるおそれが少なく、干渉によるノイズの心配も少ないことから、柔軟で組み付け性のよい安価な内部配線用電線を用いることが好ましい。反面、電気電子機器の外部に使用する場合には、物理的圧力を受けやすく、またノイズの影響を受けやすいことから、多少柔軟性に乏しく、太くて組み付け性が悪く、コスト高となっても、外部配線用電線を用いることが好ましい。
【００１２】
この発明の第３の目的は、使用する場所に応じて適宜使い分けて電気ケーブルに適した電線を使用することにある。
【００１３】
この発明の第４の目的は、電気ケーブルの這いまわし方向が制約される場合にも、機能部の、例えば駆動モータのノイズや熱などの影響を受けにくくすることにある。
【００１４】
この発明の第５の目的は、ケーブル挿通空間を通した電気ケーブルの無理のない引き出しを可能とすることにある。
【００１５】
この発明の第６の目的は、外付け装置から電気ケーブルをばらけることなく、まとめて引き出すことにある。また、この発明の第７の目的は、外付け装置から引き出す電気ケーブルの被覆が破損するおそれを低減することにある。
【００１６】
この発明の第８の目的は、ケーブル挿通空間を通した電気ケーブルのばたつきを防止することにある。また、この発明の第９の目的は、筐体ケース部材内の温度上昇を防止することにある。
【００１７】
この発明の第１０の目的は、外付け装置が画像読取装置であり、その上に自動原稿搬送装置を載置してその自動原稿搬送装置を開閉動作するとき、その開閉動作を妨げる不具合をなくすことにある。
【００１８】
この発明の第１１の目的は、本体装置に対して電気ケーブルで電気接続して外付け装置を外付けする電気電子機器において、外観を損なうことなく、電気ケーブルを安全に備えることにある。
【課題を解決するための手段】
【００１９】
請求項１に記載の発明は、上述した第１の目的を達成すべく、作像装置等の本体装置に対して例えばオプションで設け、ハーネス等の電気ケーブルで電気接続して外付けする画像読取装置等の外付け装置において、画像読み取り機能等の機能部を収納する筐体ケース部材とその筐体ケース部材のまわりを被う外装カバー部材との間に、筐体ケース部材から引き出した、電源用、制御信号用、画像信号用などの複数の電気ケーブルをまとめて筐体ケース部材で支持し、外装カバー部材から外部へと引き出すケーブル挿通空間を形成する、ことを特徴とする。
【００２０】
そして、複数の電気ケーブルを、筐体ケース部材から引き出して、筐体ケース部材と外装カバー部材との間のケーブル挿通空間に入れ、一まとめにして筐体ケース部材で支持して後、外装カバー部材から外部へと引き出す。
【００２１】
請求項２に記載の発明は、上述した第２の目的も達成すべく、請求項１に記載の外付け装置において、筐体ケース部材にバンド等の保持部材をねじ等で取り付け、その保持部材で電気ケーブルを保持して筐体ケース部材で支持する、ことを特徴とする。
【００２２】
そして、一まとめにした電気ケーブルを保持部材で例えば巻いて保持し、その電気ケーブルを保持する保持部材を筐体ケース部材にねじ等で取り付け、保持部材を介して電気ケーブルを筐体ケース部材で支持する。
【００２３】
請求項３に記載の発明は、上述した第２の目的も達成すべく、請求項１に記載の外付け装置において、筐体ケース部材自体で形成する長板状等の保持部に電気ケーブルを保持し、筐体ケース部材で支持する、ことを特徴とする。
【００２４】
そして、一まとめにした電気ケーブルを、筐体ケース部材自体で形成する保持部で保持して筐体ケース部材で支持する。
【００２５】
請求項４に記載の発明は、上述した第２の目的も達成すべく、請求項３に記載の外付け装置において、保持部で保持した電気ケーブルをまとめた状態で固定するバインダ等の止め具を備える、ことを特徴とする。
【００２６】
そして、一まとめにした電気ケーブルを、筐体ケース部材自体で形成する保持部で保持してから、止め具で止めて筐体ケース部材で支持する。
【００２７】
請求項５に記載の発明は、上述した第３の目的も達成すべく、請求項１ないし４のいずれか１に記載の外付け装置において、ケーブル挿通空間で内部配線用電線を外部配線用電線と接続して電気ケーブルを構成し、その電気ケーブルの外部配線用電線を外装カバー部材から外部へと引き出す、ことを特徴とする。
【００２８】
そして、電気ケーブルを、筐体ケース部材内では内部配線用電線で構成し、外装カバー部材外では外部配線用電線で構成する。
【００２９】
請求項６に記載の発明は、上述した第４の目的も達成すべく、請求項１ないし５のいずれか１に記載の外付け装置において、前記筐体ケース部材の内側に前記機能部を囲って第２の筐体ケース部材を設け、その第２の筐体ケース部材と前記筐体ケース部材との間に第２のケーブル挿通空間を形成し、その第２のケーブル挿通空間を通す電気ケーブルを前記筐体ケース部材から引き出し、前記ケーブル挿通空間を通した他の電気ケーブルとまとめて前記外装カバー部材から外部へと引き出す、ことを特徴とする。
【００３０】
そして、電装基板から引き出した電気ケーブルの一部を、第２のケーブル挿通空間を通して筐体ケース部材から引き出し、ケーブル挿通空間を通した他の電気ケーブルとまとめて外装カバー部材から外部へと引き出す。
【００３１】
請求項７に記載の発明は、上述した第５の目的も達成すべく、請求項６に記載の外付け装置において、前記ケーブル挿通空間を通した電気ケーブルをいったん前記第２のケーブル挿通空間に入れて後、再び前記筐体ケース部材から引き出して前記外装カバー部材から外部へと引き出す、ことを特徴とする。
【００３２】
請求項８に記載の発明は、上述した第６の目的も達成すべく、請求項７に記載の外付け装置において、前記ケーブル挿通空間を通す電気ケーブルのケーブル挿通方向を遮るように前記ケーブル挿通空間に入り込ませて、前記筐体ケース部材で板金製の保持カバーを支持し、その保持カバーに設ける挿通保持部で前記筐体ケース部材から引き出す電気ケーブルを挿通保持することを特徴とする。
【００３３】
請求項９に記載の発明は、上述した第７の目的も達成すべく、請求項８に記載の外付け装置において、前記保持カバーに設ける挿通保持部に、取付保持部材を介在して電気ケーブルを挿通して保持することを特徴とする。
【００３４】
請求項１０に記載の発明は、上述した第８の目的も達成すべく、請求項１ないし９のいずれか１に記載の外付け装置において、前記外装カバー部材の上面に垂直壁を設けてその上面に一段低い段部を形成し、その段部で前記ケーブル挿通空間の高さを規定する、ことを特徴とする。
【００３５】
請求項１１に記載の発明は、上述した第９の目的も達成すべく、請求項１０に記載の外付け装置において、前記垂直壁に、前記外装カバー部材内の空気を排出する排気口を設けることを特徴とする。
【００３６】
請求項１２に記載の発明は、上述した第１０の目的も達成すべく、請求項１０に記載の外付け装置において、前記本体装置である作像装置に対して電気ケーブルで電気接続して外付けする画像読取装置であり、その上に載置する自動原稿搬送装置と電気接続する電気ケーブルの接続部を前記垂直壁に設けることを特徴とする。
【００３７】
そして、画像読取装置の上に自動原稿搬送装置を載置し、画像読取装置の垂直壁に設ける接続部に電気ケーブルを接続してその電気ケーブルを介して画像読取装置を自動原稿搬送装置と電気接続する。
【００３８】
請求項１３に記載の発明は、上述した第１１の目的を達成すべく、電気電子機器において、請求項１ないし１２のいずれか１に記載の画像読取装置等の外付け装置を作像装置等の本体装置に、ハーネス等の電気ケーブルを介して電気接続して構成する、ことを特徴とする。
【００３９】
そして、外付け装置の筐体ケース部材から複数の電気ケーブルを引き出して、筐体ケース部材と外装カバー部材との間のケーブル挿通空間に入れ、一まとめにして筐体ケース部材で支持して後、外付け装置の外装カバー部材から外部へと引き出して本体装置に電気接続する。
【００４０】
請求項１４に記載の発明は、上述した第１１の目的を達成すべく、請求項１３に記載の電気電子機器において、外付け装置として、原稿画像を読み取る読み取り機能部を有する画像読取装置を用い、本体装置として、画像読取装置からの画像読み取り信号を受けて画像を形成する作像装置を用いる、ことを特徴とする。
【００４１】
そして、外付け装置である画像読取装置の外装カバー部材から外部へと電気ケーブルを引き出し、その電気ケーブルを介して本体装置である作像装置に電気接続する。
【発明の効果】
【００４２】
請求項１に記載の発明によれば、複数の電気ケーブルを、筐体ケース部材から引き出して、筐体ケース部材と外装カバー部材との間のケーブル挿通空間に入れ、一まとめにして筐体ケース部材で支持して後、外装カバー部材から外部へと引き出すので、本体装置に対して電気ケーブルで電気接続して外付けする外付け装置において、本体装置と外付け装置との配置状態に関係なく、常に外観を損なうことなく、電気ケーブルを安全に備えることができる。
【００４３】
請求項２に記載の発明によれば、一まとめにした電気ケーブルを保持部材で保持し、その電気ケーブルを保持する保持部材を筐体ケース部材に取り付け、保持部材を介して電気ケーブルを筐体ケース部材で支持するので、電気ケーブルを引っ張ったとき、簡単に抜けたり、電装基板やコネクタに負荷が加わったときすぐに破損したりするおそれがなく、電気ケーブルをより一層安全に備えることができる。
【００４４】
請求項３に記載の発明によれば、一まとめにした電気ケーブルを、筐体ケース部材自体で形成する保持部で支持して筐体ケース部材で支持するので、電気ケーブルを引っ張ったとき、簡単に抜けたり、電装基板やコネクタに負荷が加わったときすぐに破損したりするおそれがなく、電気ケーブルをより一層安全に備えることができる。
【００４５】
請求項４に記載の発明によれば、一まとめにした電気ケーブルを、筐体ケース部材自体で形成する保持部で支持してから、止め具で止めて筐体ケース部材で支持するので、電気ケーブルを引っ張ったとき、簡単に抜けたり、電装基板やコネクタに負荷が加わったときすぐに破損したりするおそれがなく、電気ケーブルをさらにより一層安全に備えることができる。
【００４６】
請求項５に記載の発明によれば、電気ケーブルを、筐体ケース部材内では内部配線用電線で構成し、外装カバー部材外では外部配線用電線で構成するので、電気ケーブルとして、外付け装置の外部では、多少柔軟性に乏しく、太くて組み付け性が悪く、コスト高となっても、物理的圧力やノイズの影響を受けにくい外部配線用電線を用い、また外付け装置の内部では、物理的圧力を受けるおそれが少なく、干渉によるノイズの影響も少ないことから、柔軟で組み付け性のよい安価な内部配線用電線を用い、使用する場所に応じて適宜使い分けて電気ケーブルに適した電線を使用することができる。
【００４７】
請求項６に記載の発明によれば、電装基板から引き出した電気ケーブルの一部を、第２のケーブル挿通空間を通して筐体ケース部材から引き出し、ケーブル挿通空間を通した他の電気ケーブルとまとめて外装カバー部材から外部へと引き出すので、筐体ケース部材内の機能部における電装基板の配置位置や、その電装基板からの電気ケーブルの引き出し方向などから、ケーブル挿通空間を通しての這いまわしが困難な場合には、第２のケーブル挿通空間を通して引き出すことにより、第２の筐体ケース部材で遮って機能部の、例えば駆動モータのノイズや熱などの影響を受けにくくすることができる。
【００４８】
請求項７に記載の発明によれば、ケーブル挿通空間を通した電気ケーブルをいったん第２のケーブル挿通空間に入れて後、再び筐体ケース部材から引き出して外装カバー部材から外部へと引き出すので、ケーブル挿通空間を通した電気ケーブルを大きく湾曲して引き出し、屈曲による断線を防止するとともに、電気ケーブルの径が大きいときや被覆が厚いときにも、駆動モータなどとの接触を防止しながら、無理なく引き出すことができる。
【００４９】
請求項８に記載の発明によれば、ケーブル挿通空間を通す電気ケーブルのケーブル挿通方向を遮るようにケーブル挿通空間に入り込ませて、筐体ケース部材で板金製の保持カバーを支持し、その保持カバーに設ける挿通保持部で筐体ケース部材から引き出す電気ケーブルを挿通保持するので、筐体ケース部材から電気ケーブルをばらけることなくまとめて引き出し、常に外観を損なうことなく、電気ケーブルを安全に備えることができる。
【００５０】
請求項９に記載の発明によれば、保持カバーに設ける挿通保持部に、取付保持部材を介在して電気ケーブルを挿通して保持するので、取付保持部材を介在することにより電気ケーブルが挿通保持部で擦れることを防いで外付け装置から引き出す電気ケーブルの被覆が破損するおそれを低減することができる。
【００５１】
請求項１０に記載の発明によれば、外装カバー部材の上面に垂直壁を設けてその上面に一段低い段部を形成し、その段部でケーブル挿通空間の高さを規定するので、そのケーブル挿通空間を通す電気ケーブルのばたつきを押さえることができる。
【００５２】
請求項１１に記載の発明によれば、垂直壁に、外装カバー部材内の空気を排出する排気口を設けるので、その排気口を通して、筐体ケース部材内の機能部に設ける駆動モータ、また電装基板に取り付ける電子部品などが発生する熱を外部に逃がすことができる。
【００５３】
請求項１２に記載の発明によれば、外付け装置である画像読取装置の上に自動原稿搬送装置を載置し、画像読取装置の垂直壁に設ける接続部に電気ケーブルを接続してその電気ケーブルを介して画像読取装置を自動原稿搬送装置と電気接続するので、画像読取装置と自動原稿搬送装置との間を電気接続する電気ケーブルを段部上に配置して自動原稿搬送装置を開閉動作しても画像読取装置まわりに大きくはみ出さないようにし、自動原稿搬送装置の開閉動作に連動して移動する電気ケーブルが、他の電気ケーブルに引っ掛かったり、画像読取装置を載置するテーブルなどに引っ掛かったり、画像読取装置まわりの壁に押し当たって自動原稿搬送装置の開閉動作が妨げられたり、画像読取装置と壁との間に入り込んで引っ掛かったりする不具合をなくすことができる。
【００５４】
請求項１３に記載の発明によれば、外付け装置の筐体ケース部材から複数の電気ケーブルを引き出して、筐体ケース部材と外装カバー部材との間のケーブル挿通空間に入れ、一まとめにして筐体ケース部材で支持して後、外付け装置の外装カバー部材から外部へと引き出して本体装置に電気接続するので、本体装置に対して電気ケーブルで電気接続して外付けする外付け装置において、本体装置と外付け装置との配置状態に関係なく、常に外観を損なうことなく、電気ケーブルを安全に備えることができる。
【００５５】
請求項１４に記載の発明によれば、外付け装置である画像読取装置の外装カバー部材から外部へと電気ケーブルを引き出し、その電気ケーブルを介して本体装置である作像装置に電気接続するので、作像装置に対して電気ケーブルで電気接続して外付けする画像読取装置において、作像装置と画像読取装置との配置状態に関係なく、常に外観を損なうことなく、電気ケーブルを安全に備えることができる。
【発明を実施するための最良の形態】
【００５６】
以下、図面を参照しつつ、この発明の実施の最良形態につき説明する。
図１には、この発明による外付け装置の一例である画像読取装置を示し、（Ａ）は内部構成を示す平面図、（Ｂ）は側面図である。
【００５７】
図中符号１０は、外装カバー部材である。外装カバー部材１０は、頂面にコンタクトガラスを取り付け、周囲を樹脂製化粧板で囲って箱型に形成する。外装カバー部材１０の正面側には、操作部１２を備える。操作部１２には、液晶等の表示部１４の他、１０キー１５、スタートスイッチ１６を含む各種の操作ボタンやスイッチ１７などを設ける。外装カバー部材１０の内部には、筐体ケース部材１８を設置する。筐体ケース部材１８には、原稿画像を読み取る読み取り機能部を収納する。
【００５８】
筐体ケース部材１８内の読み取り機能部には、正面側から見て手前側と奥側に、第１レール２０と第２レール２１をそれぞれ平行に設ける。一対の第１レール２０上には第１走行体２２が載り、一対の第２レール２１上には第２走行体２３が載り、両走行体２２・２３は初期では正面から見て左側に位置する。第１走行体２２上には、光源２４と第１ミラー２５を載置する。他方、第２走行体２３上には、第２、第３ミラー２６を載置する。筐体ケース部材１８内の正面から見て右側には、レンズ２７、レンズブロック２８、ＣＣＤ基板２９を備える。
【００５９】
筐体ケース部材１８内の読み取り機能部には、また、駆動モータ３２を設置する。駆動モータ３２の駆動軸３３には、駆動プーリ３４を取り付ける。駆動プーリ３４には、タイミングベルト３５の一方を掛けまわし、タイミングベルト３５の他方は従動軸３６上の従動プーリ３７に掛けまわす。従動軸３６の両端には、またワイヤ駆動プーリ３８を固着する。各々のワイヤ駆動プーリ３８には、第１走行体２２と第２走行体２３を牽引する不図示のワイヤを巻き付ける。
【００６０】
駆動モータ３２は、配線４０を介して制御基板（ＳＩＯ）４１に電気接続する。制御基板４１は、配線４２を介して安定器（レギュレータ）４３に電気接続する。
【００６１】
そして、電源用電気ケーブル４５、制御基板４１に電気接続する制御信号用電気ケーブル４６、ＣＣＤ基板２９に電気接続する画像信号用電気ケーブル４７を筐体ケース部材１８から引き出す。電気ケーブル４５と電気ケーブル４６は、筐体ケース部材１８と外装カバー部材１０との間のケーブル挿通空間４８に入れてから、電気ケーブル４７と一まとめにして、例えば図２に示すようにベルト状の保持部材５０で巻いて保持し、その保持部材５０を取付ねじ５１で筐体ケース部材１８に取り付け、その保持部材５０を介して複数の電気ケーブル４４を筐体ケース部材１８で支持する。
【００６２】
図２では、電源用電気ケーブル４５、制御信号用電気ケーブル４６、画像信号用電気ケーブル４７を一まとめにして、ベルト状の保持部材５０で保持し、筐体ケース部材１８で支持するようにしたが、例えば図３に示すように樹脂等でつくった矩形枠状の保持部材５０をハーネスクランプとして用い、その保持部材５０内にこの例では電源用電気ケーブル４５と制御信号用電気ケーブル４６を通し、その保持部材５０を掛け止めて両電気ケーブルをケーブル挿通空間４８で保持し、筐体ケース部材１８で支持するようにしてもよい。
【００６３】
または、図４に示すように、筐体ケース部材１８に２つの矩形孔５２を隣接してあけて筐体ケース部材１８自体に細長板状の保持部５３を形成し、一まとめにした電気ケーブル４４をその保持部５３に巻き付けて筐体ケース部材１８で支持するようにしてもよい。また、このとき保持部５３に巻き付けてから、図示するごとくバインダ等の止め具５４で束ねて電気ケーブル４４を止めるようにしてもよい。これにより、電気ケーブル４５・４６・４７を引っ張ったとき、簡単に抜けたり、電装基板やコネクタに負荷が加わったときすぐに破損したりするおそれがなく、電気ケーブルをさらにより一層安全に備えることができる。
【００６４】
さらに、図５に示すように、筐体ケース部材１８に一体樹脂成形でＬ字状のフック型をなす保持部５３を設け、その保持部５３に掛けてこの例のように電源用電気ケーブル４５と制御信号用電気ケーブル４６を保持するようにしてもよく、また図６に示すように、筐体ケース部材１８が金属板である場合には、その金属板の一部を切り起こして保持部５３を設け、その保持部５３に掛けてこの例のように電源用電気ケーブル４５と制御信号用電気ケーブル４６を保持するようにしてもよい。
【００６５】
その後、ケーブル挿通空間４８を通して、図７に示すように、外装ケース部材１０に設けるケーブル引出孔５５から、一まとめにした電気ケーブル４４を引き出す。なお、画像信号用電気ケーブル４７は、筐体ケース部材１８からも、ケーブル引出孔５６を通して引き出すが、他の電源用電気ケーブル４５、制御信号用電気ケーブル４６を筐体ケース部材１８から引き出すときも、同様に各々筐体ケース部材１８にあけたケーブル引出孔を通して引き出す。
【００６６】
そして、外装カバー部材１０のケーブル引出孔５５から引き出した、一まとめにした電気ケーブル４４を、図８に示すようにケーブル挿入孔６１から本体装置である作像装置６０内に入れ、それぞれ作像装置６０内の電気ケーブル６２・６３・６４に接続し、それぞれ電装基板６５・６６・６７に電気接続する。
【００６７】
このようにすることにより、作像装置６０に対して電気ケーブル４４で電気接続して外付けする画像読取装置７０において、作像装置６０と画像読取装置７０との配置状態に関係なく、常に外観を損なうことなく、電気ケーブル４４を安全に備えることができる。図８において、符号６８は、画像読取装置７０を載置するテーブルである。
【００６８】
なお、図示例では、電気ケーブル４５・４６・４７は、ケーブル挿通空間４８で内部配線用電線を外部配線用電線と接続して構成し、その外部配線用電線を外装カバー部材１０のケーブル引出孔５５から外部へと引き出すようにする。そして、筐体ケース部材１８内では内部配線用電線で構成し、外装カバー部材外では外部配線用電線で構成する。
【００６９】
よって、電気ケーブル４５・４６・４７として、画像読取装置７０の外部では、多少柔軟性に乏しく、太くて組み付け性が悪く、コスト高となっても、物理的圧力やノイズの影響を受けにくい外部配線用電線を用い、また画像読取装置７０の内部では、物理的圧力を受けるおそれが少なく、干渉によるノイズの影響も少ないことから、柔軟で組み付け性のよい安価な内部配線用電線を用い、使用する場所に応じて適宜使い分けて電気ケーブルに適した電線を使用することができる。
【００７０】
そして、図９に示すように、複写機を構成し、電気ケーブル６２・６３・６４および電気ケーブル４５・４６・４７を介して電気信号のやり取りを行って、作像装置６０にある画像加工装置６９で画像読取装置７０を制御し、画像読取装置７０で読み取った画像を画像加工装置６９で編集加工して作像装置６０で画像を形成する。
【００７１】
コピーをとるときは、コンタクトガラス（後述するコンタクトガラス７７）上に原稿をセットし、不図示の原稿押さえで上から押さえる。そして、操作部１２の操作ボタンやスイッチ１７を操作して必要な設定を行ってから、スタートスイッチ１６を押す。すると、制御基板４１で制御して駆動モータ３２を駆動し、駆動軸３３を回転して駆動プーリ３４を介してタイミングベルト３５を走行し、従動プーリ３７を介して従動軸３６を回し、ワイヤ駆動プーリ３８を回転する。そして、不図示のワイヤで牽引して第１レール２０上の第１走行体２２と第２レール２１上の第２走行体２３とを、それぞれ２対１の速度比で平行移動する。
【００７２】
このとき、光源２４を点灯し、その光源２４からの光をコンタクトガラスを透して読み取り原稿面に当て、第１走行体２２および第２走行体２３の走行とともにその読み取り原稿面を走査し、反射光を再びコンタクトガラスを透して第１ミラー２５に当て、その第１ミラー２５および第２、第３ミラー２６で続けて反射してレンズ２７を透して結像し、ＣＣＤ基板２９で光信号を電気信号に変換して原稿画像を読み取る。そして、画像読取装置７０の画像読み取り信号を、画像信号用電気ケーブル４７を介して作像装置６０に入れ、作像装置６０で、用紙・ＯＨＰフィルム等の記録媒体に画像を記録する。
【００７３】
さて、上述した例では、画像形成装置において、本体装置として作像装置６０を、外付け装置として画像読取装置７０を用いた場合について説明した。しかし、画像形成装置を含む電気電子機器において、電気ケーブルを介して電気接続するものであれば、作像装置６０や画像読取装置７０に限らず、本体装置として別のホスト装置を、外付け装置としてそのホスト装置の機能を拡張する他の機能拡張装置を使用することもできる。
【００７４】
図１０には、外付け装置である画像読取装置７０の他例を示す。
この図１０に示す例では、筐体ケース部材１８の内側に機能部の駆動モータ３２を囲って第２の筐体ケース部材７２を設ける。第２の筐体ケース部材７２は、例えば筐体ケース部材１８と同じ板金部材をコの字型に折り曲げて画像読取装置７０のベース上に立ててねじ止めしてなり、筐体ケース部材１８との間に第２のケーブル挿通空間７３を形成する。
【００７５】
第２のケーブル挿通空間７３には、制御基板４１から引き出した電気ケーブル７４を通す。電気ケーブル７４は、電源用の電気ケーブルでもよいが、図示例では例えばＣＣＤ信号用の電気ケーブルである。第２のケーブル挿通空間７３は、適宜の幅とすることができ、そこを通す電気ケーブル７４を這いまわせる程度の幅があれば、十分である。
【００７６】
ＣＣＤ信号用の電気ケーブル７４は、画像信号用電気ケーブル４７とともに筐体ケース部材１８から引き出し、ケーブル挿通空間４８を通した電源用電気ケーブル４５および制御信号用電気ケーブル４６と合流してすべてまとめて外装カバー部材１０から外部へと引き出す。なお、図１０におけるその他の符号は、図１の対応部分に使用した符号をそのまま使用する。
【００７７】
これにより、筐体ケース部材１８内の機能部における電装基板である制御基板４１の配置位置や、その制御基板４１からの電気ケーブル７４の引き出し方向などから、ケーブル挿通空間４８を通しての這いまわしが困難な場合には、第２のケーブル挿通空間７３を通して引き出すことにより、第２の筐体ケース部材７２で遮って機能部の、例えば駆動モータ３２のノイズや熱などの影響を受けにくくすることができる。
【００７８】
図１１には、外付け装置である画像読取装置７０のさらに他例を示す。
この図１１に示す例では、図１０の筐体ケース部材１８に切欠き７５を設ける。そして、ケーブル挿通空間４８を通した電源用電気ケーブル４５および制御信号用電気ケーブル４６を、切欠き７５を挿通していったん第２のケーブル挿通空間７３に入れ、そこで第２のケーブル挿通空間７３を通して這いまわすＣＣＤ信号用電気ケーブル７４と合流し、さらにその先で画像信号用電気ケーブル４７とも合流する。そして、電気ケーブルのすべてを一まとめして筐体ケース部材１８から引き出し、外装カバー部材１０から外部へと引き出す。なお、図１１におけるその他の符号は、図１の対応部分に使用した符号をそのまま使用する。
【００７９】
このようにすると、ケーブル挿通空間４８を通した電源用電気ケーブル４５および制御信号用電気ケーブル４６を大きく湾曲して引き出し、出口付近で急に曲げることにより屈曲による断線を生ずるおそれを防止するとともに、それらの電気ケーブル４５、４６の径が大きいときや被覆が厚いときにも、大きく曲げることにより、無理なく引き出すことができる。また、電気ケーブル４５、４６がまっすぐになろうとする力を、切欠き７５の周縁や第２の筐体ケース部材７２などで受け、その曲げ状態を保持して駆動モータ３２などとの接触を防ぎ、それらからの熱伝導等を防止することができる。
【００８０】
図１２には、筐体ケース部材１８から引き出す電気ケーブルを保持する保持カバー９０と、その保持カバー９０を支持する筐体ケース部材１８を示す。
【００８１】
保持カバー９０は、例えば筐体ケース部材１８と同じ材質の板金部材を用い、（Ａ）に示すように、コの字型に折り曲げて両端に矩形板９１を溶接やねじ止めなどで取り付け、中間に大きくて平らな保持面９２を形成する。保持面９２には適宜形状に切り欠いて孔をあけ、複数の挿通保持部９３をあける。また、矩形板９１には、それぞれ複数のねじ挿通孔９４をあける。
【００８２】
一方、筐体ケース部材１８は、（Ｂ）に示すように、画像読取装置７０のベース上にねじなどで止めて立てて設置する。もちろん一体でもよいが、ここでは別体の部分１８Ａ、１８Ｂを間隔をあけて設け、それぞれの向かい合う縁にねじ孔９５をあける。そして、一方の部分１８Ｂには、上述した切欠き７５を形成し、また電気ケーブル４５の引き出し口を設けてなる。引き出し口には、図示例では樹脂やゴムなどでつくった角筒状の取付保持部材９６を着脱自在にはめ付ける。そして、取付保持部材９６に通す電気ケーブル４５を、その取付保持部材９６を介して筐体ケース部材１８で支持する。このように、取付保持部材９６を介在して引き出し口から電気ケーブル４５を引き出すことにより、電気ケーブル４５が口縁で擦れて被覆が破損することを防ぐことができる。
【００８３】
そして、ねじ孔９５にねじ挿通孔９４を合わせてねじ止めし、（Ｂ）に示す筐体ケース部材１８に、（Ａ）に示す保持カバー９０を取り付け、保持カバー９０の保持面９２を筐体ケース部材１８と平行として外装カバー部材１０に近接して保持する。これにより、ケーブル挿通空間４８を通す電気ケーブル４５、４６のケーブル挿通方向を遮るようにケーブル挿通空間４８に入り込ませて、板金製の筐体ケース部材１８で同じく板金製の保持カバー９０を支持する。
【００８４】
それから、ケーブル挿通空間４８を通した電気ケーブル４５、４６を筐体ケース部材１８の切欠き７５を通していったん第２のケーブル挿通空間７３に入れ、第２のケーブル挿通空間７３を通す電気ケーブル７４とまとめ、さらに電気ケーブル４７とも一まとめにして切欠きから挟み込んだり、孔に通したりすることにより適宜の挿通保持部９３に挿通し、その挿通保持部９３で保持して電気ケーブルのばらつきを防止しながら筐体ケース部材１８から引き出し、外装カバー部材１０からさらに外部へと引き出す。
【００８５】
なお、挿通保持部９３に、上述した取付保持部材９６のような樹脂製やゴム製などの取付保持部材を着脱自在に取り付け、挿通保持部９３で電気ケーブルを保持するとき、取付保持部材を介在することにより、同様に挿通保持部９３に挿通して保持する電気ケーブルが挿通保持部９３の縁で擦れて被覆が破損することを防ぐことができる。取付保持部材は、電気ケーブルと別体としたが、電気ケーブルと一体に設けて挿通保持部９３に対し着脱自在としてもよい。
【００８６】
図１３には、外付け装置である画像読取装置７０のまたさらに他例を示す。図１４には、その画像読取装置７０の上に自動原稿搬送装置７６を載置した状態を示す。
【００８７】
この図１３および図１４に示す例では、画像読取装置７０は、外装カバー部材１０で被ってなり、その外装カバー部材１０の上面に大きなコンタクトガラス７７を有し、その背面側に垂直壁７８を設けて上面に一段低い段部８０を形成し、その段部８０でケーブル挿通空間４８の高さを規定する。垂直壁７８には、外装カバー部材１０内の空気を排出する排気口８２を設ける。また、垂直壁７８には、画像読取装置７０と、その上に載置する自動原稿搬送装置７６とを電気接続する電気ケーブル８３の接続部８４を設ける。そして、電気ケーブル８３は、段部８０上に乗せて配置する。
【００８８】
そのような画像読取装置７０上には、自動原稿搬送装置７６を載置し、その自動原稿搬送装置７６を背面側のヒンジ８５を介して図１４中矢示方向に開閉自在とする。
【００８９】
このように、外装カバー部材１０の上面に垂直壁７８を設けてその上面に一段低い段部８０を形成し、その段部８０でケーブル挿通空間４８の高さを規定すると、そのケーブル挿通空間４８を通す電気ケーブル４５、４６のばたつきを押さえることができる。また、垂直壁７８に、外装カバー部材１０内の空気を排出する排気口８２を設けると、その排気口８２を通して、筐体ケース部材１０内の機能部に設ける駆動モータ３２、また電装基板に取り付ける電子部品などが発生する熱を外部に逃がすことができる。
【００９０】
また、上述したように、画像読取装置７０の上に自動原稿搬送装置７６を載置し、接続部８４に電気ケーブル８３を接続してその電気ケーブル８３を介して画像読取装置７０を自動原稿搬送装置７６と電気接続すると、電気ケーブル８３を段部８０上に配置してその段部８０上を這わせ、自動原稿搬送装置７６を開閉動作しても電気ケーブル８３が画像読取装置７０まわりに大きくはみ出さないようにし、自動原稿搬送装置７６の開閉動作に連動して移動する電気ケーブル８３が、他の電気ケーブル４４等に引っ掛かったり、画像読取装置７０を載置するテーブル６８などに引っ掛かったり、画像読取装置７０まわりの壁に押し当たって自動原稿搬送装置７６の開閉動作が妨げられたり、画像読取装置７０と壁との間に入り込んで引っ掛かったりする不具合をなくすことができる。
【００９１】
なお、画像読取装置７０と作像装置６０とを一体で使用する場合は、従来どおり画像読取装置７０の内部から作像装置６０へと結線できるため、電気ケーブル４４の出口をカバー部材８６で塞ぎ、外部からの埃などの侵入を防止することができる。なお、図１３および図１４におけるその他の符号も、図１の対応部分に使用した符号をそのまま使用する。
【図面の簡単な説明】
【００９２】
【図１】この発明による外付け装置の一例である画像読取装置を示し、（Ａ）は内部構成を示す平面図、（Ｂ）は側面図である。
【図２】その複数の電気ケーブルの支持例を示す斜視図である。
【図３】電気ケーブルの他の支持例を示す斜視図である。
【図４】電気ケーブルのさらに他の支持例を示す斜視図である。
【図５】電気ケーブルのまたさらに他の支持例を示す斜視図である。
【図６】電気ケーブルのまたさらに他の支持例を示す斜視図である。
【図７】その画像読取装置からの電気ケーブルの引き出し状態を示す拡大部分斜視図である。
【図８】その画像読取装置と作像装置との接続状態を示す斜視図である。
【図９】その接続状態における構成ブロック図である。
【図１０】外付け装置である画像読取装置の他例を示し、（Ａ）は内部構成を示す平面図、（Ｂ）は側面図である。
【図１１】外付け装置である画像読取装置のさらに他例を示し、（Ａ）は内部構成を示す平面図、（Ｂ）は側面図である。
【図１２】（Ａ）は電気ケーブルを保持する保持カバーの斜視図、（Ｂ）はその保持カバーを支持する筐体ケース部材の背面図である。
【図１３】外付け装置である画像読取装置のまたさらに他例を示し、（Ａ）は内部構成を示す平面図、（Ｂ）は側面図である。
【図１４】その画像読取装置の上に自動原稿搬送装置を載置した状態を示し、（Ａ）は側面図、（Ｂ）は背面斜視図である。
【図１５】従来の画像形成装置の画像読取装置を示し、（Ａ）は内部構成を示す平面図、（Ｂ）は側面図である。
【図１６】作像装置とその画像読取装置とを一体で設けた従来の画像形成装置の斜視図である。
【図１７】作像装置とその画像読取装置とを別体で設けた従来の画像形成装置の斜視図である。
【図１８】別の配置状態で、作像装置と画像読取装置とを別体で設けた従来の画像形成装置の斜視図である。
【符号の説明】
【００９３】
１０    外装カバー部材
１８    筐体ケース部材
４４    一まとめにした電気ケーブル
４５    電源用電気ケーブル
４６    制御信号用電気ケーブル
４７    画像信号用電気ケーブル
４８    ケーブル挿通空間
５０    保持部材
５３    保持部
５４    止め具
６０    作像装置（本体装置）
７０    画像読取装置（外付け装置）
７２    第２の筐体ケース部材
７３    第２のケーブル挿通空間
７４    電気ケーブル
７５    切欠き
７６    自動原稿搬送装置
７８    垂直壁
８０    段部
８２    排気口
８３    電気ケーブル
８４    接続部
８５    ヒンジ
９０    保持カバー
９２    保持面
９３    挿通保持部
９６    取付保持部材
【図１】
2006091835.tif 000003
【図２】
2006091835.tif 000004
【図３】
2006091835.tif 000005
【図４】
2006091835.tif 000006
【図５】
2006091835.tif 000007
【図６】
2006091835.tif 000008
【図７】
2006091835.tif 000009
【図８】
2006091835.tif 000010
【図９】
2006091835.tif 000011
【図１０】
2006091835.tif 000012
【図１１】
2006091835.tif 000013
【図１２】
2006091835.tif 000014
【図１３】
2006091835.tif 000015
【図１４】
2006091835.tif 000016
【図１５】
2006091835.tif 000017
【図１６】
2006091835.tif 000018
【図１７】
2006091835.tif 000019
【図１８】
2006091835.tif 000020